(57)【要約】【課題】  本発明は、カーテンレール等が存在しても使用でき、腕体を容易に着脱できる物掛け具を提供することを課題とする。【解決手段】  ハンガー等を吊るすことができる引掛部１０１を有する腕体１００と、この腕体１００と別体として構成され窓枠の上枠等の被取付体Ａに取り付けられる支持体２００とを備え、支持体２００には、腕体１００を挿入脱できるように横方向に開口した切欠２０１が設けられ、腕体１００は、引掛部１０１の他端側において被取付体Ａに当接する当接部と、この当接部材１２０及び引掛部１２１の間で支持体２００の切欠２０１の下縁に当接する支点部とを有し、さらに、前記腕体１００は、支点部よりも引掛部１０１側において、上方に立ち上がった立ち上がり部１１３を有する。【選択図】  図１
2009273767.tif 000002
【特許請求の範囲】
【請求項１】
ハンガー等の被引掛物を吊るすことができる引掛部を有する腕体と、この腕体とは別体で構成されるとともに窓枠の上枠等の被取付体に取り付けられる支持体とを具備しており、前記支持体には、前記腕体を挿入脱できるように横方向に開口してなる切欠が設けられており、前記腕体は、前記引掛部の他端側において前記被取付体に当接する当接部材と、この当接部材及び前記引掛部の間で前記支持体の切欠の下縁に当接する支点部とを有し、さらに、前記腕体は、前記支点部よりも前記引掛部側において、上方に立ち上がった立ち上がり部を有することを特徴とする物掛け具。
【請求項２】
請求項１記載の物掛け具において、前記支持体には、前記切欠の下縁に、前記腕体の支点部が収容される段部が形成されていることを特徴とする物掛け具。
【請求項３】
請求項１又は２記載の物掛け具において、窓枠の上枠等の被取付体に沿って付設されるカーテンレール等の付設物に取り付けられるとともに、前記腕体が横方向にスライドすることを防止するスライド防止部材をさらに具備することを特徴とする物掛け具。
【発明の詳細な説明】
【技術分野】
【０００１】
本発明は、物掛け具に関するものであり、たとえば、窓枠の上枠やドア枠の上枠や鴨居等の被取付体に取り付けられ、洗濯物を掛けたハンガー等を吊下げて物干として使用することのできるものである。
【背景技術】
【０００２】
従来、この種の物掛け具としては、特許文献１所載のものが提案されている。この従来例の物掛け具は、窓枠の上枠等に取り付けられる支持体と、ハンガー等の被引掛物を吊るす腕体とが別体で形成されている。そして、支持体には腕体が挿入着される穿孔が形成されている。また、前記腕体には、先端部に引掛部が設けられ後端部に前記上枠等に当接する受具が回動可能に設けられており、この受具が、回動中心からの距離が異なる複数の当接面が設けられている。そして、この物掛け具にあっては、腕体を支持体の受穴に、窓枠の外側から部屋の中に向けて挿入して、受具を回動させて所望の当接面を窓枠の上枠等の被取付体の下面に当接させることによって、腕体の突出高さを異ならせることができる。
【０００３】
しかしながら、この従来例の物掛け具にあっては、窓枠の上枠に沿ってカーテンレールが付設されている場合には、以下のような不都合がある。つまり、カーテンレールは、上枠の下縁よりも若干上方位置に付設されるが、従来例の物掛け具を取り付けたままの状態では、カーテンの開閉を行うことができない。また、腕体を支持体から取り外すためには、部屋の中から窓枠の外側に向けて腕体を脱入する必要があり、また、腕体を支持体に装着するためには、窓枠の外側から部屋の中に向けて腕体を挿入する必要があった。かかる挿入脱作業は煩雑であり、特に、窓枠の外にベランダがない場合などには、窓の外に身を乗り出す必要があり、挿入脱作業の煩雑さは尚更であった。
【０００４】
【特許文献１】特開２００５−３４３４９号公報
【発明の開示】
【発明が解決しようとする課題】
【０００５】
そこで、本発明は、上記従来の問題点に着目してなされたものであって、本発明は、カーテンレール等の付設物が存在しても使用することができるとともに、腕体を容易に着脱することができる物掛け具を提供することを課題とする。
【課題を解決するための手段】
【０００６】
上記課題を解決すべく、本発明に係る物掛け具は、ハンガー等の被引掛物を吊るす引掛部を有する腕体と、この腕体とは別体で構成されるとともに窓枠の上枠等の被取付体に取り付けられる支持体とを備えており、前記支持体には、前記腕体を挿入脱できるように横方向に開口してなる切欠が設けられており、前記腕体は、前記引掛部の他端側において前記被取付体に当接する当接部材と、この当接部材及び前記引掛部の間で前記支持体の切欠の下縁に当接する支点部とを有し、さらに、前記腕体は、前記支点部よりも前記引掛部側において、上方に立ち上がった立ち上がり部を有している。
【０００７】
上記構成からなる本発明に係る物掛け具にあっては、被取付体に取り付けた支持体の切欠に、腕体を横方向から挿入することによって、腕体を支持体に容易に取り付けることができる。そして、腕体には立ち上がり部が設けられているので、支持体にカーテンレール等の付設物が存在する場合であっても、腕体がこの付設物よりも上方側において部屋側に突出することになり、このため、物掛け具を使用しつつもカーテンの開閉を行うことができる。また、取り付けられた腕体を、横方向に切欠から離脱することによって支持体から容易に取り外すことができる。
【０００８】
また、本発明に係る物掛け具にあっては、前記支持体の切欠の下縁に、腕体の支点部が収容される段部が形成されている構成を採用することが好ましい。これにより、腕体を支持体に取り付けられた際に腕体の支点部が段部に収容された状態となり、このため、支持体に取り付けられた腕体が横方向に不用意にスライドすることを防止することができる。
【０００９】
さらに、本発明に係る物掛け具にあっては、窓枠の上枠等の被取付体に沿って付設されるカーテンレール等の付設物に取り付けられるとともに、腕体が横方向にスライドすることを防止するスライド防止部材をさらに備える構成を採用することが好ましい。これにより、腕体がスライド防止部材によって横方向のスライドせず、このため、支持体に取り付けられた腕体が横方向に不用意にスライドすることを防止することができる。
【発明を実施するための最良の形態】
【００１０】
以下、本発明を実施するための最良の形態を図面を参酌しつつ説明する。
図１は本発明の実施の形態に係る物掛け具の概略的側面図、図２は本発明の実施の形態に係る物掛け具を構成する支持体の支持本体の概略的斜視図、図３は本発明の実施の形態に係る物掛け具を構成する支持体の支持本体の概略的背面図、図４は本発明の実施の形態に係る物掛け具を構成する腕体の腕本体の概略的斜視図、図５は本発明の実施の形態に係る物掛け具を構成するスライド防止部材の概略的背面図、図６は本発明の実施の形態に係る物掛け具を構成するスライド防止部材の概略的側面図である。
【００１１】
本発明の実施の形態に係る物掛け具は、ハンガー等の被引掛物を吊るす引掛部１０１を有する腕体１００と、窓枠の上枠等の被取付体Ａに取り付けられる支持体２００と、窓枠の上枠等の被取付体Ａに沿って付設されるカーテンレールＢ等の付設物に取り付けられるスライド防止部材３００とから構成されている。
【００１２】
前記支持体２００は、腕体１００を挿入脱できるように横方向に開口してなる切欠２０１が設けられている支持本体２１０と、この支持本体２１０を窓枠の上枠等の被取付体Ａに固定するための固定部材２２０とを備えている。この支持本体２１０は、窓枠の上枠等の被取付体Ａに引っ掛けられる上方屈曲部２１１と、この上方屈曲部２１１から下方側に垂下されるとともに前記切欠２０１が設けられた中央部２１３と、この中央部２１３の下部から窓枠の上枠等の被取付体Ａ側に屈曲された下方屈曲部２１５とを有し、この支持本体２１０は、側面視略コの字状に形成されている。かかる支持本体２１０は、たとえば、一枚の金属板を屈曲して形成することができる。
【００１３】
前記支持本体２１０の上方屈曲部２１１には、先端部の両端に、窓枠の上枠等の被取付体Ａに引っ掛けられる爪部２１２が形成されている。
【００１４】
また、前記支持本体２１０の中央部２１３には、切欠２０１の下縁に、取り付けられた腕体１００が収容される段部２０３が形成されている。
【００１５】
また、前記支持本体２１０の下方屈曲部２１５には、前記中央部２１３の切欠２０１が形成されていない部位に、前記固定部材２２０が取り付けられた孔部２１６が設けられている。そして、この孔部２１６には、固定部材２２０が螺入着されており、固定部材２２０を回転させることにより、窓枠の上枠等の被取付体Ａの下面と接近・離反することができるように設けられており、このため、この固定部材２２０は、被取付体Ａの上下厚みに応じて支持本体２１０から突出させることで、被取付体Ａに応じた固定が可能となる。この固定部材２２０は、より具体的には、前記孔部２１６に螺着される雄ねじが外周に形成された軸部２２１と、この軸部２２１の上端部に取り付けられたシリコンゴム等からなる弾性部材２２３と、前記軸部２２１の下端部に固定され軸部２２１を回転操作するための把持部２２５とから構成されている。
【００１６】
前記腕体１００は、先端部が側面視略半円状に屈曲されてハンガー等を吊るすことができる引掛部１０１として形成された腕本体１１０と、腕本体１１０の後端部に取り付けられ窓枠の上枠等の被取付体Ａの下面に当接する当接部材１２０とから構成されている。
【００１７】
前記腕本体１１０は、カーテンレールＢ等の付設物よりも上方側から部屋の中側に突出するような形状に形成されており、具体的には、当接部材１２０が螺着される孔部１０３が形成される第一水平部１１１と、この第一水平部１１１の先端側において上方に屈曲された立ち上がり部１１３と、この立ち上がり部１１３の上方から水平方向に屈曲された第二水平部１１５とからなり、この第二水平部１１５の先端部に前記引掛部１０１が形成されている。
【００１８】
前記立ち上がり部１１３は、カーテンレールＢよりも第二水平部１１５が上方側に位置するように、たとえば、２〜５ｃｍ程度の長さに形成されている。
【００１９】
また、前記第一水平部１１１の中央部は、前記支持体２００の切欠２０１の下縁に当接する支点部として機能する。
【００２０】
また、前記腕本体１１０の孔部１０３には、前記当接部材１２０が螺入着されており、当接部材１２０を回転させることにより、窓枠の上枠等の被取付体Ａの下面と接近・離反することができるように設けられている。このため、この当接部材１２０は、腕本体１１０から突出させる距離を変更することで、腕本体１１０の角度を変更することが可能となる。前記当接部材１２０は、より具体的には、前記孔部１０３に螺着される雄ねじが外周に形成された軸部１２１と、この軸部１２１の上端部に取り付けられたシリコンゴム等かちなる弾性部材１２３と、前記軸部１２１の下端部に固定され軸部１２１を回転操作するための把持部１２５とから構成されている。
【００２１】
前記スライド防止部材３００は、カーテンレールＢに取り付けるための取付部３１０，３３０と、前記腕体１００が横方向にスライドすることを防止するスライド防止部３２０とを備えており、具体的には、カーテンレールＢの上面に載置される載置部３１０と、この載置部３１０から上方側に向けて突出し腕体１００を両側から挟持するための一対の挟持片３２０と、この挟持片３２０と垂直方向且つ下方側に載置部３１０から突出しカーテンレールＢの前面に当接するレール当接片３３０とからなる。
【００２２】
以上の構成からなる本発明の実施の形態に係る物掛け具は、被取付体Ａとしての窓枠の上枠等の被取付体Ａに取り付けた支持体２００の切欠２０１に、腕体１００を横方向から挿入することによって、腕体１００を支持体２００に容易に取り付けることができる。また、取り付けられた腕体１００を、横方向に切欠２０１から離脱することによって支持体２００から容易に取り外すことができる。
【００２３】
また、腕体１００には立ち上がり部が設けられているので、腕体１００がこのカーテンレールＢよりも上方側において部屋側に突出することになり、このため、物掛け具を使用しつつもカーテンの開閉を行うことができる。
【００２４】
さらに、腕体１００を支持体２００に取り付けた際に腕体１００の支点部が段部２０３に収容された状態で、且つ、カーテンレールＢに取り付けられたスライド防止部材３００の一対の挟持片に腕体１００が挟持された状態となるため、支持体２００に取り付けられた腕体１００が横方向に不用意に横方向にスライドすることを防止することができる。
【００２５】
なお、本発明の実施の形態に係る物掛け具は、上記構成からなるため上記利点を有するものであったが、本発明の意図する範囲内で適宜設計変更可能である。
【００２６】
つまり、上記本発明の実施の形態に係る物掛け具にあっては、スライド防止部材３００を有するものであったが、本発明の物掛け具にあってはスライド防止部材３００は必須の構成要件ではない。また、スライド防止部材を有する場合であっても、上述した形態のものに限定されるものではない。
【００２７】
また、腕体１００の腕本体１１０はまっすぐなものとしたが、ハンガーを入れるための複数個の孔が開設されたタイプや、吊るしたハンガーが移動しないように凹凸を設けたタイプのものであってもよい。
【００２８】
さらに、上記本発明の実施の形態に係る物掛け具にあっては、固定部材２２０は本発明の必須の要件ではない。ただし、固定部材２２０を有する場合にあっては、支持体が、被取付体Ａの上面に当接する支持本体と、この支持本体に取り付けられた固定部材とを備え、前記支持本体が被取付体Ａの上面に当接する当接する部位と、前記固定部材が前記被取付体Ａの下面に当接する部位との間隔が変更可能に設けられた構成を採用することが好ましく、これによって、被取付体Ａの上下厚みに応じて的確に支持体を被取付体Ａに固定することができる。
【００２９】
また、上述した本発明の実施の形態に係る物掛け具にあっては、当接部材１２０は本発明の必須の要件ではない。ただし、腕体が、当接部材と支点部との相対位置が変更可能に設けられていることが好ましく、これにより、腕部が部屋側に突出する角度を調節することができる。
【図面の簡単な説明】
【００３０】
【図１】本発明の実施の形態に係る物掛け具の概略的側面図である。
【図２】本発明の実施の形態に係る物掛け具を構成する支持体の支持本体の概略的斜視図である。
【図３】本発明の実施の形態に係る物掛け具を構成する支持体の支持本体の概略的背面図である。
【図４】本発明の実施の形態に係る物掛け具を構成する腕体の腕本体の概略的斜視図である。
【図５】本発明の実施の形態に係る物掛け具を構成するスライド防止部材の概略的背面図である。
【図６】本発明の実施の形態に係る物掛け具を構成するスライド防止部材の概略的側面図である。
【符号の説明】
【００３１】
１００  腕体
１０１  引掛部
１０３  孔部
１１０  腕本体
１１１  第一水平部
１１３  立ち上がり部
１１５  第二水平部
１２０  当接部材
２００  支持体
２０１  切欠
２０３  段部
２１０  支持本体
２１１  上方屈曲部
２１２  爪部
２１３  中央部
２１５  下方屈曲部
２１６  孔部
２２０  固定部材
３００  スライド防止部材
３１０  載置部
３２０  挟持片
３３０  レール当接片
【図１】
2009273767.tif 000003
【図２】
2009273767.tif 000004
【図３】
2009273767.tif 000005
【図４】
2009273767.tif 000006
【図５】
2009273767.tif 000007
【図６】
2009273767.tif 000008